(57)【要約】【課題】ボルトやばねを利用することなく、簡単な構成でレンズを任意の跳ね上げ位置に停止させることのできる補助眼鏡を得る。【解決手段】  左右のレンズ１１の各々に設けられ、眼鏡のフロント部分の上端縁と係合する第一の係合部材１３１と、この第一の係合部材１３１をレンズ１１に対して回動自在に取り付ける取付部材１３０と、左右の第一の係合部材１３１を連結するとともに、第一の係合部材１３１を弾発する連結部材１３２，１３５と、この連結部材と一体に設けられ、前記フロント部分の外周縁に沿って延びる少なくとも一つの弾性脚１３２と、この弾性脚１３２に設けられ、前記フロント部分の外周縁と係合する少なくとも一つの第二の係合部材１３２ａとを有する。【選択図】  図１
2010060714.tif 000002
【特許請求の範囲】
【請求項１】
眼鏡のフロント部分に着脱自在かつ跳ね上げ自在に取り付けられ、左右一対のレンズを有する補助眼鏡において、
前記左右のレンズの各々に設けられ、前記眼鏡のフロント部分の上端縁又は下端縁と係合する第一の係合部材と、
この第一の係合部材を前記レンズに対して回動自在に取り付ける取付部材と、
左右の前記第一の係合部材を連結する連結部材と、
前記フロント部分の外周縁に沿って延びる少なくとも一つの弾性脚と、
この弾性脚に設けられ、前記フロント部分の外周縁と係合する少なくとも一つの第二の係合部材と、
左右の前記レンズを連結するブリッジとを有し、
前記ブリッジを前記眼鏡のブリッジに対応する部分に設け、前記連結部材を、前記眼鏡のブリッジ又は補助眼鏡のブリッジに対応する位置に配置したこと、
を特徴とする補助眼鏡。
【請求項２】
眼鏡のフロント部分に着脱自在かつ跳ね上げ自在に取り付けられ、左右一対のレンズを有する補助眼鏡において、
前記左右のレンズの各々に設けられ、前記眼鏡のフロント部分の上端縁又は下端縁と係合する第一の係合部材と、
この第一の係合部材を前記レンズに対して回動自在に取り付ける取付部材と、
左右の前記第一の係合部材を連結するとともに、前記第一の係合部材を弾発する連結部材と、
この連結部材と一体に設けられ、前記フロント部分の外周縁に沿って延びる少なくとも一つの弾性脚と、
この弾性脚に設けられ、前記フロント部分の外周縁と係合する少なくとも一つの第二の係合部材とを有すること、
を特徴とする補助眼鏡。
【請求項３】
前記第一の係合部材が前記連結部材を介して前記取付部材に常時弾発されていることを特徴とする請求項２に記載の補助眼鏡。
【請求項４】
前記第一の係合部材を、前記取付部材に回動自在に支持される基部と、前記フロント部分に係合する爪部とから構成したことを特徴とする請求項２又は３に記載の補助眼鏡。
【請求項５】
前記連結部材を、前記眼鏡のブリッジ又は補助眼鏡のブリッジに対応する位置に配置したことを特徴とする請求項２〜４のいずれかに記載の補助眼鏡。
【請求項６】
前記連結部材の一端を折り返して折り返し端部を形成し、この折り返し端部を前記取付部材の軸孔に挿入して前記第一の係合部材の回転軸として構成し、かつ、前記連結部材と前記第一の係合部材とを固定したことを特徴とする請求項２〜５のいずれかに記載の補助眼鏡。
【請求項７】
前記連結部材の前記折り返し端部と対向する部分を前記取付部材の外周面に摺接させたことを特徴とする請求項６に記載の補助眼鏡。
【請求項８】
前記取付部材の外周面に凹部を形成し、前記レンズを所定の跳ね上げ位置まで回動させたときに、前記連結部材が前記凹部に嵌合することで前記レンズを前記所定の跳ね上げ位置で位置決め固定することを特徴とする請求項２〜７のいずれかに記載の補助眼鏡。
【請求項９】
前記取付部材の外周面に沿って移動する前記連結部材の経路の両端及び途中に、前記凹部を複数設けたことを特徴とする請求項８に記載の補助眼鏡。
【請求項１０】
前記取付部材の外周面における前記連結部材が移動する経路の曲率中心を、前記第一の係合部材の回動中心から偏心させたことを特徴とする請求項２〜９のいずれかに記載の補助眼鏡。
【請求項１１】
左右のレンズをブリッジで連結し、このブリッジを前記眼鏡のブリッジに対応する部分に設けたことを特徴とする請求項２〜１０のいずれかに記載の補助眼鏡。
【請求項１２】
前記連結部材が、前記第一の係合部材に取り付けられた前記弾性脚の一部と、左右の前記弾性脚を接続する接続部材とから構成されていることを特徴とする請求項２〜１１のいずれか記載の補助眼鏡。
【発明の詳細な説明】
【技術分野】
【０００１】
本発明は、眼鏡のフロント部分に着脱自在かつ跳ね上げ自在に取り付けられる補助眼鏡に関する。
【背景技術】
【０００２】
眼鏡のフロント部分に着脱自在かつ跳ね上げ自在に取り付けられる補助眼鏡が知られている。なお、この明細書において「跳ね上げ」には、フロント部分の上端縁に回転軸を有し、補助眼鏡のレンズを上方に跳ね上げる「跳ね上げ」の他、下端縁に回転軸を有し、補助眼鏡のレンズを下方に跳ね下げる「跳ね下げ」の概念も含むものとする。
このような補助眼鏡は、着用した眼鏡に偏光機能や防眩機能等の他の機能を簡単に追加することができることから、多くの利用者に愛用されている。また、このような跳ね上げ式の補助眼鏡については、従来より多数の提案がなされている（例えば、特許文献１〜３参照）。
【０００３】
ところで、跳ね上げ機構を有する補助眼鏡においては、上部にヒンジを取りつける必要があることから、従来の補助眼鏡は上部に左右のレンズを連結するバーが設けられている（例えば、特許文献１の符号２，特許文献２の符号１，特許文献３の符号４参照）。
しかし、眼鏡のファッション化が進んだ近年では、補助眼鏡を眼鏡に装着した際に、前記バーが目立って外観上好ましくないという問題がある。
【０００４】
また、跳ね上げ機構は、蝶番の摩擦を利用して任意の跳ね上げ位置で補助眼鏡のレンズを停止させることができるようにしているが、前記の摩擦はヒンジとレンズとを連結するボルトの締結力によって調整している。
しかし、跳ね上げ動作を繰り返すうちに蝶番の前記ボルトが緩んで摩擦が小さくなり、補助眼鏡のレンズを所望の跳ね上げ位置で停止させることができなくなるという問題がある。また、ボルトの代わりに、ばねの付勢力によって摩擦力を生じさせるものも提案されているが（例えば、特許文献３，４参照）、ばねを用いる分だけ部品点数が多くなって構成が複雑になり、価格も高くなるという問題がある。
【特許文献１】特開平９−２８１４５１号公報
【特許文献２】特開２００３−２４１１４９号公報
【特許文献３】実用新案登録第３１１６２９４号公報
【特許文献４】特開２００５−３４５８８０号公報
【発明の開示】
【発明が解決しようとする課題】
【０００５】
本発明は上記の問題に鑑みてなされたもので、第一に、左右のレンズを連結するためのバーが正面に現れず、一本ブリッジですっきりした外観の補助眼鏡の提供、第二に、ボルトの締結力やばねを利用することなく、簡単な構成でレンズを任意の跳ね上げ位置で停止させることができ、かつ、跳ね上げ動作を繰り返しても緩みが生じにくい補助眼鏡の提供を目的とする。
【課題を解決するための手段】
【０００６】
本発明の第一の目的を達成するために、請求項１に記載の発明は、眼鏡のフロント部分に着脱自在かつ跳ね上げ自在に取り付けられ、左右一対のレンズを有する補助眼鏡において、前記左右のレンズの各々に設けられ、前記眼鏡のフロント部分の上端縁又は下端縁と係合する第一の係合部材と、この第一の係合部材を前記レンズに対して回動自在に取り付ける取付部材と、左右の前記第一の係合部材を連結する連結部材と、前記フロント部分の外周縁に沿って延びる少なくとも一つの弾性脚と、この弾性脚に設けられ、前記フロント部分の外周縁と係合する少なくとも一つの第二の係合部材と、左右の前記レンズを連結するブリッジとを有し、前記ブリッジを前記眼鏡のブリッジに対応する部分に設け、前記連結部材を、前記眼鏡のブリッジ又は補助眼鏡のブリッジに対応する位置に配置した構成としてある。
この場合、補助眼鏡のブリッジは、眼鏡のブリッジよりも幅広に形成するとよい。
このようにすることで、眼鏡に補助眼鏡を装着した際に、補助眼鏡のブリッジで連結部材及び眼鏡のブリッジを隠すことができ、補助眼鏡を装着した際の眼鏡のデザインをすっきりしたものとすることができる。
【０００７】
本発明の第二の目的を達成するために、請求項２に記載の発明は、眼鏡のフロント部分に着脱自在かつ跳ね上げ自在に取り付けられ、左右一対のレンズを有する補助眼鏡において、前記左右のレンズの各々に設けられ、前記眼鏡のフロント部分の上端縁又は下端縁と係合する第一の係合部材と、この第一の係合部材を前記レンズに対して回動自在に取り付ける取付部材と、左右の前記第一の係合部材を連結するとともに、前記第一の係合部材を弾発する連結部材と、この連結部材と一体に設けられ、前記フロント部分の外周縁に沿って延びる少なくとも一つの弾性脚と、この弾性脚に設けられ、前記フロント部分の外周縁と係合する少なくとも一つの第二の係合部材とを有する構成としてある。
この場合、請求項３に記載するように、前記第一の係合部材が前記連結部材を介して前記取付部材に常時弾発されている構成とするとよい。例えば、前記連結部材を湾曲又は屈曲させたり、第一の係合部材間の距離より若干大きい又は若干小さい寸法の連結部材を用いることで、第一の係合部材を取付部材に常時付勢することが可能になる。
なお、請求項４に記載するように、前記第一の係合部材を、前記取付部材に回動自在に支持される基部と、前記フロント部分に係合する爪部とから構成してもよい。このようにすることで、第一の係合部材のうち基部のみを取付部材に押し付けるようにして摩擦抵抗を発生させ、爪部を取付部材の外部、例えば連結部材や、第一の係合部材と一体になって回転する回転軸に設けることができる。
【０００８】
本発明の補助眼鏡は、第一の係合部が眼鏡のフロント部分の上端縁又は下端縁に係合し、第二の係合部が眼鏡の外周縁と係合することで、眼鏡に装着される。第一の係合部はレンズに対して回動自在であり、第二の係合部材も連結部材及び弾性脚とともにレンズに対して回動自在であるから、補助眼鏡は、眼鏡に装着した状態で左右のレンズを跳ね上げることができる。また、補助眼鏡を眼鏡に装着した際及び補助眼鏡のレンズを跳ね上げる際には、補助眼鏡には左右のレンズを遠ざけようとする力（又はこの逆の力）が作用し、結果として連結部材を介して、第一の係合部が取付部材に弾発され、回転抵抗を生じさせる。そのため、レンズを任意の跳ね上げ位置で停止させることができるようになる。このように、本発明では、ボルト等の締結手段やばね等の付勢手段を用いずに、左右の第一の係合部材を連結する連結部材によって跳ね上げの際の摩擦抵抗を与えているので、補助眼鏡を長期に亘って使用しても緩みが生じることがない。
【０００９】
請求項５に記載するように、前記連結部材は、前記眼鏡のブリッジに対応する位置に配置してもよい。
このようにすることで、補助眼鏡を眼鏡に装着した際に、連結部材を補助眼鏡のブリッジで隠すことができ、補助眼鏡を装着した際の眼鏡のデザインをすっきりしたものとすることができる。
【００１０】
請求項６に記載の発明は、前記連結部材の一端を折り返して折り返し端部を形成し、この折り返し端部を前記取付部材の軸孔に挿入して前記第一の係合部材の回転軸として構成し、かつ、前記連結部材と前記第一の係合部材とを固定した構成としてある。
このようにすることで、別体の回転軸を用いずに、第一の係合部材を回動させる蝶番を構成することができる。
この場合、請求項７に記載するように、前記連結部材の前記折り返し端部と対向する部分を前記取付部材の外周面に押し付けるようにしてもよい。
このようにすることで、前記連結部材と前記取付部材の外周面との摩擦が、レンズを跳ね上げる際の摩擦抵抗を増大させる。
【００１１】
上記したように、本発明では、レンズを任意の跳ね上げ位置で安定的に停止させることができるが、レンズを位置決め固定する際に、カチッとした確実な手応えを求めるユーザも存在する。
そこで、請求項８に記載の発明は、前記取付部材の外周面に凹部を形成し、前記レンズを所定の跳ね上げ位置まで回動させたときに、前記連結部材が前記凹部に嵌合することで前記レンズを前記所定の跳ね上げ位置で位置決め固定する構成としてある。
このようにすることで、跳ね上げ回動の上限位置及び下限位置の両方で、連結部材が凹部に嵌合し、確実な手応えでレンズを位置決め固定することができる。
なお、このような凹部は、請求項９に記載するように、記取付部材の外周面に沿って移動する前記連結部材の経路の両端及び途中に、前記凹部を複数設けてもよい。
このようにすることで、前記上限及び下限だけでなく、跳ね上げ回動の途中部位において、確実な手応えでレンズを位置決め固定することができる。
なお、請求項１０に記載の発明のように、前記取付部材の外周面における前記連結部材が移動する経路の曲率中心を、前記第一の係合部材の回動中心から偏心させることによっても、跳ね上げ回動の上限位置及び下限位置の両方において、確実な手応えでレンズを位置決め固定することができる。
【００１２】
請求項１１に記載の発明は、左右のレンズを連結するブリッジ（補助眼鏡のブリッジ）を、前記眼鏡のブリッジに対応する位置に設けるとよい。この場合、補助眼鏡のブリッジは、眼鏡のブリッジよりも幅広に形成するとよい。
このようにすることで、眼鏡に補助眼鏡を装着した際に、補助眼鏡のブリッジで連結部材及び眼鏡のブリッジを隠すことができ、補助眼鏡を装着した際の眼鏡のデザインをすっきりしたものとすることができる。
また、ブリッジを介して左右のレンズを同時に跳ね上げ回動させることができるので、連結部材に作用する負荷を軽減することができ、連結部材を小径にして、より目立たなくすることができる。さらに、ブリッジを介して左右のレンズが一体的に回動するので、左右のレンズの回動動作のずれを解消して、跳ね上げの際の補助眼鏡の歪み（捩れ）を無くすことができる。
【００１３】
左右の第一の係合部材間に架け渡される連結部材は、一本の棒状部材から形成されていてもよく、この場合は、前記棒状部材を部分的に湾曲又は屈曲させることで、補助眼鏡のブリッジの背面に連結部材を隠すことができる。
前記連結部材は、弾性脚と別体に構成してもよいが、弾性脚の一部を構成するものとしてもよい。すなわち、請求項１２に記載するように、前記連結部材を、前記第一の係合部材に取り付けられた前記弾性脚の一部と、左右の前記弾性脚を接続する接続部材とから構成してもよい。
【発明の効果】
【００１４】
本発明によれば、左右のレンズを連結するためのバーが外観に現れず、すっきりしたデザインの補助眼鏡を得ることができる。また、ボルト等の締結手段やばねを利用することなく、簡単な構成でレンズを任意の跳ね上げ位置に停止させることができる。また、跳ね上げ動作を繰り返しても緩みが生じにくい補助眼鏡を提供できる。
【発明を実施するための最良の形態】
【００１５】
以下、本発明の補助眼鏡の好適な実施形態を、図面を参照しながら詳細に説明する。
図１は、本発明の補助眼鏡の一実施形態にかかり、（ａ）はその正面、（ｂ）は（ａ）のI-I方向矢視図、図２は、図１の補助眼鏡の平面図である。
【００１６】
図１に示すように、補助眼鏡１は、防眩レンズや偏光レンズ等で形成された左右のレンズ１１，１１と、この左右のレンズ１１，１１を連結する帯状のブリッジ１２（眼鏡のブリッジと区別する必要がある場合には「補助眼鏡のブリッジ１２」と記載する）と、補助眼鏡１を眼鏡のフロント部分に着脱自在に装着するための装着具１３とを有している。レンズ１１，１１は、防眩レンズや偏光レンズ等の機能レンズとすることができる。
【００１７】
補助眼鏡のブリッジ１２は、眼鏡のブリッジに対応する位置に設け、かつ、眼鏡のブリッジ１２よりも広幅に形成する。そして、補助眼鏡１を眼鏡に装着した際に、眼鏡のブリッジと補助眼鏡のブリッジ１２とが前後に重なって、補助眼鏡のブリッジ１２で眼鏡のブリッジが隠されるようにする。
補助眼鏡のブリッジ１２は、左右のレンズ１１，１１と別体に形成して、その両端をボルト等でレンズ１１，１１に取り付けるようにしてもよいし、樹脂製のブリッジ１２と樹脂製のレンズ１１，１１とをプレス成形等で一体に形成するようにしてもよい。
【００１８】
この実施形態の装着具１３は、左右のレンズ１１，１１のそれぞれにボルト等で取り付けられる平面視して略コの字状のブラケット１３０，１３０と、このブラケット１３０，１３０の溝中に回動自在に支持され、先端が眼鏡のフロント部分に引っ掛けられるようにフック状に折り曲げられた第一の係合部材としての係合爪１３１，１３１と、この係合爪１３１，１３１に取り付けられ、眼鏡のレンズ部分の前面内側縁に沿って下方に弧状に延びる弾性脚１３２，１３２と、この弾性脚１３２，１３２の一端に形成され、眼鏡のレンズの内側縁に引っ掛けられる第二の係合部材としてのフック状の係合爪１３２ａとを有している。
【００１９】
弾性脚１３２，１３２は、チタンやステンレス等の弾性を有する金属線から形成されている。左右の弾性脚１３２，１３２は、その途中部位で、チタンやステンレス等の弾性を有する金属線から形成された接続部材１３５により銀鑞付け等で接合されている。接続部材１３５は、補助眼鏡のブリッジ１２に相当する位置に配置されている。そのため、補助眼鏡１を眼鏡に装着した際に、接続部材１３５は眼鏡のブリッジと補助眼鏡のブリッジ１２との間に位置していて、眼鏡の外観となって現れない。
この実施形態では、弾性脚１３２，１３２の一部と、接続部材１３５とで、左右の係合部材１３１，１３１を連結する連結部材を構成する。
【００２０】
図２は、ブラケット１３０，１３０及び係合爪１３１，１３１と連結部材（この図において符号１３６で示す）との関係を説明する補助眼鏡１の平面図である。
補助眼鏡１は、全体として平面視して円弧状に形成され、曲率半径Ｒの円弧Ｃ上に左右のレンズ１１，１１が配置されている。
一方、左右のブラケット１３０，１３０は、平面視して略コの字状に形成され、レンズ１１，１１の上端縁のほぼ中央に取り付けられる。また、連結部材１３６は、図２に示すように、ブラケット１３０，１３０の溝の軸線が平行になるように、かつ、係合爪１３１，１３１間の距離Ｌが一定に保たれるように、係合爪１３１，１３１を連結する。なお、このとき、連結部材１３６で係合爪１３１，１３１を常時弾発するように係合爪１３１，１３１を連結するのが好ましい。
【００２１】
円弧状に湾曲した補助眼鏡１を、係合爪１３１，１３１の回動中心を支点として眼鏡に対して跳ね上げ回動させると、補助眼鏡１を歪ませようとする力が補助眼鏡１の全体に作用し、連結部材１３６には圧縮方向又は引っ張り方向に力が作用する。この力によって係合爪１３１，１３１は左右のブラケット１３０，１３０の溝内壁面に押し付けられ、この際に生じる摩擦が補助眼鏡１を回動させる際の抵抗となって、補助眼鏡１を任意の跳ね上げ位置で停止させることができるわけである。
【００２２】
この実施形態において、弾性脚１３２，１３２の他端には、他端の一部を互いに向き合う方向に１８０°折り返して、折り返し部１３２ｂ，１３２ｂが形成されている。そして折り返し部１３２ｂ，１３２ｂの先端をブラケット１３０，１３０に挿通させ、係合爪１３１，１３１の回動軸として構成している。
【００２３】
図３は、弾性脚１３２の他端部分の詳細を説明する拡大斜視図である。
折り返し部１３２ｂは、ブラケット１３０の一側から他側までを挿通し、係合爪１３１の回動軸を成している。また、係合爪１３１と弾性脚１３２とは鑞付部１３１ａで鑞付けされていて、折り返し部１３２ｂを軸として係合爪１３１と弾性脚１３２とが一体に回動するようになっている。
【００２４】
なお、鑞付部１３１ａの前後で、弾性脚１３２の一部をブラケット１３０の外周面に弾発接触させるとよい。このようにすることで、レンズ１１，１１を眼鏡に対して回動させる際に、係合爪１３１，１３１とブラケット１３０の内壁面との摩擦抵抗に、弾性脚１３２の一部とブラケット１３０の外周面との摩擦抵抗を付加することができ、より安定的にレンズ１１，１１を任意の跳ね上げ位置で停止させることできる。
【００２５】
また、図４（ａ）に示すように、弾性脚１３２がブラケット１３０に沿って移動する経路の両端に、弾性脚１３２が嵌合する凹部１３０ｂ，１３０ｃを形成するとよい。
このような凹部１３０ｂ，１３０ｃを形成することで、図４（ｂ）に示すように、レンズ１１，１１を跳ね上げたときに弾性脚１３２が凹部１３０ｂに嵌合してレンズ１１がカチッという手応え感で跳ね上げ位置に固定され、レンズ１１，１１を下限位置まで下げたときに弾性脚１３２が凹部１３０ｃに嵌合して、レンズ１１，１１がカチッという手触り感で当該下限位置に固定される。
【００２６】
図５は、確実な手応え感でレンズ１１，１１を跳ね上げの上限位置と下限位置に位置させることのできる別の機構を説明する図である。
図５に示すように、ブラケット１３０の外周面１３０ｄの曲率中心（図中×印で示す）は、係合爪１３１の回動中心に対して、ブラケット１３０の軸線と平行方向に僅かに偏心した位置にある。これにより、レンズ１１，１１を跳ね上げる際に、弾性脚１３２は係合爪１３１の回動中心から遠ざかりつつ移動する。そして、前記経路のほぼ中央を越えると、今度は係合爪１３１の回動中心に接近しつつ移動し、その終端でカチッとした手応えでロックされる。
なお、図４及び図５で示したロック機構は、それぞれ単独で用いてもよいが、両者を組み合わせて用いることも可能である。
【００２７】
図６は、上記構成の補助眼鏡１を眼鏡に装着した状態を示す図で、（ａ）はその正面図、（ｂ）は補助眼鏡を下限位置まで下げたときの（ａ）のI-I方向矢視図、（ｃ）は補助眼鏡を跳ね上げたときの（ａ）のI-I方向矢視図である。
なお、この図では、眼鏡２を実線で示し、補助眼鏡１は仮想線で示してある。
図６において符号２はフルリムの眼鏡で、符号２２はレンズ２１，２１を嵌め込んだフロント部分、符号２３はフロント部分２２の両側に取り付けられた智、符号２４は鼻パッド、符号２５は左右のレンズ２１，２１を連結するブリッジである。
【００２８】
眼鏡２への補助眼鏡１の装着は、装着具１３の係合爪１３１，１３１を眼鏡２のフロント部分２２に上端縁に引っ掛け、係合爪１３２ａ（図１参照）をフロント部分２２の内周縁に引っ掛けることによって行う。
このとき、補助眼鏡１を撓ませる方向に力が作用すると、この力は連結部材１３６（図２参照）を介して係合爪１３１，１３１に伝達され、係合爪１３１，１３１をブラケット１３０，１３０の内壁面に押し付けて摩擦抵抗を発生（又は増大）させる。
【００２９】
補助眼鏡１を眼鏡２に装着すると、眼鏡のブリッジ２５は補助眼鏡のブリッジ１２の背後に隠れ、かつ、連結部材１３６は眼鏡のブリッジ２５と補助眼鏡のブリッジ１２との間に位置する。そのため、補助眼鏡１を装着した後の眼鏡２においては、図６（ａ）に示すように、正面からは眼鏡のブリッジ２５及び連結部材１３６は視認することができず、補助眼鏡のブリッジ１２だけのすっきりしたデザインを得ることができる。
【００３０】
（ｃ）に示すように、レンズ１１，１１を跳ね上げると、前述したように補助眼鏡１には、係合爪１３１，１３１を互いに接近又は離間させる方向に力が作用する。この力は、連結部材１３６を介して係合爪１３１，１３１とブラケット１３０，１３０との間の摩擦抵抗を生じさせ、これによりレンズ１１，１１を、任意の跳ね上げ位置で停止させることができる。
【００３１】
図７及び図８は本発明の補助眼鏡の他の実施形態にかかり、ブラケット部分の拡大斜視図である。
上記の実施形態では、連結部材１３６（弾性脚１３２，１３２）の一端を折り返した折り返し部１３２ｂで係合爪１３１の回転軸を構成しているが、本発明では、図７に示すように、連結部材１３６（弾性脚１３２）とは別体の軸１３８をブラケット１３０に支持させ、この軸１３８を中心に係合爪１３１が回動するように構成してもよい。軸１３８は係合爪１３１と別体のものであってもよいし、一体のものであってもよい。
【００３２】
また、図８に示すように、係合爪１３１を、フレームに係合する爪部１３１ｃ′とブラケット１３０に回転自在に支持される基部１３１ｂ′とに分けて構成してもよい。
このようにすることで、図８に示すように、爪部１３１ｃ′をブラケット１３０の外側の、例えば連結部材１３６（弾性脚１３２）に取り付けつつ、連結部材１３６（弾性脚１３２）によって基部１３１ｂ′をブラケット１３０に押し付けて摩擦抵抗を発生させることができる。
なお、図８のように構成することで、例えば、図７の連結部材１３６（弾性脚１３２）に爪部１３１ｃ′を取り付けてもよいし、基部１３１ｂ′と軸１３８とを一体に構成し、この軸１３８に爪部１３１ｃ′を取り付けてもよい。
【００３３】
本発明の好適な実施形態について説明したが、本発明は上記の実施形態に限定されるものではない。
例えば、上記の説明では、連結部材１３６を弾性脚１３２，１３２の上端側の一部と、左右の弾性脚１３２，１３２を接続する接続部材１３５とから構成しているが、連結部材１３６は弾性脚１３２，１３２とは別体に構成してもよく、連結部材の一部を湾曲又は屈曲させて形成してもよい。
【００３４】
また、請求項２に記載の発明においては、補助眼鏡のブリッジは必ずしも必要ではない。そして、補助眼鏡のブリッジを無くすことで、左右のレンズ１１，１１を個別に跳ね上げるようにすることが可能になる。
さらに、上記の説明では、フロント部分の上端縁に係合爪１３１，１３１を係合させるようにしているが、係合爪１３１，１３１をフロント部分の下端縁に係合させるように構成することも可能である。このようにすることで、いわゆる「跳ね下げ」形の補助眼鏡を得ることができる。
【産業上の利用可能性】
【００３５】
本発明の補助眼鏡は、眼鏡のフロント部分に着脱自在かつ跳ね上げ自在であれば、偏光機能や防眩機能に限らず、他の機能を有する補助眼鏡にも適用が可能である。また、本発明の補助眼鏡は、リムレス、ナイロール、フルリム、ハーフリムのいずれにも適用が可能である。
【図面の簡単な説明】
【００３６】
【図１】本発明の補助眼鏡の一実施形態にかかり、（ａ）はその正面、（ｂ）は（ａ）のI-I方向矢視図である。
【図２】ブラケット及び係合爪と連結部材との関係を説明する補助眼鏡１の平面図である。
【図３】折り返し部の詳細を説明する部分拡大斜視図である。
【図４】連結部材が凹部に嵌合する様子を説明する図である。
【図５】レンズを跳ね上げの上限位置と下限位置とに位置させることのできる別の構成を説明する図である。
【図６】（ａ）は、上記構成の補助眼鏡を眼鏡に装着した状態を説明する正面図、（ｂ）は補助眼鏡１を跳ね上げる前の状態を示す側面図、（ｃ）は補助眼鏡１を跳ね上げた状態を示す側面図である。
【図７】連結部材とは別体の軸で係合爪を回動自在に支持させた他の実施形態を示す主要部の部分拡大斜視図である。
【図８】係合爪を爪部と基部とで構成した一例にかかり、爪部をブラケットの外側で連結部材に取り付けた実施形態を示す斜視図である。
【符号の説明】
【００３７】
１      補助眼鏡
１１    レンズ
１２    （補助眼鏡の）ブリッジ
１３    装着具
１３０  ブラケット（取付部材）
１３０ｂ、１３０ｃ  凹部
１３０ｄ    外周面
１３１  係合爪（第一の係合部材）
１３１ａ  鑞付部
１３１ｂ′  基部
１３１ｃ′  爪部
１３２  弾性脚
１３２ａ  係合爪（第二の係合部材）
１３２ｂ  折り返し部
２      眼鏡
２１    レンズ
２２    フロント部分
２３    智
２４    鼻パッド
【図１】
2010060714.tif 000003
【図２】
2010060714.tif 000004
【図３】
2010060714.tif 000005
【図４】
2010060714.tif 000006
【図５】
2010060714.tif 000007
【図６】
2010060714.tif 000008
【図７】
2010060714.tif 000009
【図８】
2010060714.tif 000010